(57)【要約】【課題】椅子に座った状態、或いは、仰向けに寝た状態でも膝下足部に所望のストレッチを施すことを可能にする運動器具を提供すること。【解決手段】枠体と、上記枠体に設けられ膝下足部を固定する膝下足部固定手段と、上記枠体に設けられ上記膝下足部固定手段によって固定された膝下足部の足裏をアキレス腱が延びる方向に付勢する足裏付勢手段と、を具備したものである。よって、使用者は椅子に座った状態でも、或いは、仰向けに寝た状態でも所望のストレッチを実行することができる。又、膝下足部固定手段による固定によってある種のマッサージ効果を得ることができる。【選択図】　図１
2004089672.tif 000002
【特許請求の範囲】
【請求項１】
枠体と、
上記枠体に設けられ膝下足部を固定する膝下足部固定手段と、
上記枠体に設けられ上記膝下足部固定手段によって固定された膝下足部の足裏をアキレス腱が延びる方向に付勢する足裏付勢手段と、
を具備したことを特徴とする運動器具。
【請求項２】
請求項１記載の運動器具において、
上記膝下足部固定手段は袋体内に流体を選択的に加圧・供給することによって固定するものであることを特徴とする運動器具。
【請求項３】
請求項２記載の運動器具において、
上記膝下足部固定手段はエアーバックによって固定するものであることを特徴とする運動器具。
【請求項４】
請求項２又は請求項３記載の運動器具において、
上記膝下足部固定手段は膝下足部の足首部と脹脛部を固定するように構成されていることを特徴とする運動器具。
【請求項５】
請求項４記載の運動器具において、
上記膝下足部固定手段は脹脛部を裏面側から付勢する付勢手段を備えていることを特徴とする運動器具。
【請求項６】
請求項２〜請求項５の何れかに記載の運度器具において、
上記袋体或いはエアーバックの表面にはつぼ刺激用の突起が設けられていることを特徴とする運動器具。
【請求項７】
請求項１〜請求項６の何れかに記載の運動器具において、
上記足裏付勢手段は袋体内に流体を選択的に加圧・供給することによって足裏を付勢するものであることを特徴とする運動器具。
【請求項８】
請求項７記載の運動器具において、
上記足裏付勢手段はエアーバックによって足裏を付勢するものであることを特徴とする運動器具。
【請求項９】
請求項７又は請求項８記載の運動器具において、
複数個の袋体又はエアーバックを積層・配置させたことを特徴とする運動器具。
【請求項１０】
請求項７〜請求項９の何れかに記載の運動器具において、
上記袋体或いはエアーバックの表面にはつぼ刺激用の突起が設けられていることを特徴とする運動器具。
【請求項１１】
請求項１〜請求項１０の何れかに記載の運動器具において、
上記膝下足部固定手段と足裏付勢手段は両足にそれぞれ対応するように設けられていることを特徴とする運動器具。
【請求項１２】
請求項１〜請求項１１の何れかに記載の運動器具において、
上記枠体の足裏側の高さが調整可能に構成されていることを特徴とする運動器具。
【請求項１３】
請求項１〜請求項１２の何れかに記載の運動器具において、
上記足裏付勢手段はその立設角度を調整可能に構成されていることを特徴とする運動器具。
【請求項１４】
請求項１〜請求項１３の何れかに記載の運動器具において、
上記膝下足部固定手段と足裏付勢手段を制御する制御手段と、
上記制御手段に各種条件を入力する操作手段と、
が設けられていることを特徴とする運動器具。
【発明の詳細な説明】
【０００１】
【発明が属する技術分野】
本発明は膝下足部にストレッチを施すための運動器具に係り、特に、アキレス腱を延ばす方向に足裏を付勢することにより膝下足部にストレッチを施すと共に、膝下足部にマッサージを施すことができるように工夫したものに関する。
【０００２】
【従来の技術】
例えば、膝下足部、特に、アキレス腱を伸ばすためのストレッチを行う為の運動器具としては次のようなものが知られている。すなわち、踵側からつま先側に向かって上り勾配にて予め傾斜した状態でセットされているボードがあり、そのようなボード上に立つことによりアキレス腱を伸ばすものである。
【０００３】
【発明が解決しようとする課題】
上記従来の構成によると次のような問題があった。
上記従来の運動器具の場合にはボード上に立って自身の体重を利用してストレッチを施すものであり、したがって、椅子に座った状態、或いは、仰向けに寝た状態では利用できなかった。
又、上記傾斜したボードの場合には単にアキレス腱を伸ばすだけであって、例えば、同時にマッサージ効果を期待できるようなものではなかった。
【０００４】
本発明はこのような点に基づいてなされたものでその目的とするところは、椅子に座った状態、或いは、仰向けに寝た状態でも膝下足部に所望のストレッチを施すことを可能にする運動器具を提供することにある。
【０００５】
【課題を解決するための手段】
上記目的を達成するべく本願発明の請求項１による運動器具は、枠体と、上記枠体に設けられ膝下足部を固定する膝下足部固定手段と、上記枠体に設けられ上記膝下足部固定手段によって固定された膝下足部の足裏をアキレス腱が延びる方向に付勢する足裏付勢手段と、を具備したことを特徴とするものである。
又、請求項２による運動器具は、請求項１記載の運動器具において、上記膝下足部固定手段は袋体内に流体を選択的に加圧・供給することによって固定するものであることを特徴とするものである。
又、請求項３による運動器具は、請求項２記載の運動器具において、上記膝下足部固定手段はエアーバックによって固定するものであることを特徴とするものである。
又、請求項４による運動器具は、請求項２又は請求項３記載の運動器具において、上記膝下足部固定手段は膝下足部の足首部と脹脛部を固定するように構成されていることを特徴とするものである。
又、請求項５による運動器具は、請求項４記載の運動器具において、上記膝下足部固定手段は脹脛部を裏面側から付勢する付勢手段を備えていることを特徴とするものである。
又、請求項６による運動器具は、請求項２〜請求項５の何れかに記載の運度器具において、上記袋体或いはエアーバックの表面にはつぼ刺激用の突起が設けられていることを特徴とするものである。
又、請求項７による運動器具は、請求項１〜請求項６の何れかに記載の運動器具において、上記足裏付勢手段は袋体内に流体を選択的に加圧・供給することによって足裏を付勢するものであることを特徴とするものである。
又、請求項８による運動器具は、請求項７記載の運動器具において、上記足裏付勢手段はエアーバックによって足裏を付勢するものであることを特徴とするものである。
又、請求項９による運動器具は、請求項７又は請求項８記載の運動器具において、複数個の袋体又はエアーバックを積層・配置させたことを特徴とするものである。
又、請求項１０による運動器具は、請求項７〜請求項９の何れかに記載の運動器具において、上記袋体或いはエアーバックの表面にはつぼ刺激用の突起が設けられていることを特徴とするものである。
又、請求項１１による運動器具は、請求項１〜請求項１０の何れかに記載の運動器具において、上記膝下足部固定手段と足裏付勢手段は両足にそれぞれ対応するように設けられていることを特徴とするものである。
又、請求項１２による運動器具は、請求項１〜請求項１１の何れかに記載の運動器具において、上記枠体の足裏側の高さが調整可能に構成されていることを特徴とするものである。
又、請求項１３による運動器具は、請求項１〜請求項１２の何れかに記載の運動器具において、上記足裏付勢手段はその立設角度を調整可能に構成されていることを特徴とするものである。
又、請求項１４による運動器具は、請求項１〜請求項１３の何れかに記載の運動器具において、上記膝下足部固定手段と足裏付勢手段を制御する制御手段と、上記制御手段に各種条件を入力する操作手段と、が設けられていることを特徴とするものである。
【０００６】
すなわち、本願発明による運動器具の場合には、膝下足部固定手段によって膝下足部を固定し、その状態で膝下足部の足裏をアキレス腱が延びる方向に足裏付勢手段によって付勢するものである。よって、使用者は椅子に座った状態でも、或いは、仰向けに寝た状態でも所望のストレッチを実行することができる。又、膝下足部固定手段による固定によってある種のマッサージ効果を得ることができる。
その際、上記膝下足部固定手段としては、例えば、袋体内に流体を選択的に加圧・供給することによって固定するものが考えられる。
具体的には、エアーバックによって固定するものが考えられる。
又、膝下足部固定手段としては、例えば、膝下足部の足首部と脹脛部を固定するように構成されたものが考えられ、その際、脹脛を裏面側から付勢する付勢手段を設けることが考えられる。
又、袋体やエアーバックの表面につぼ刺激用の突起を設けることが考えられる。
又、足裏付勢手段としても、例えば、袋体内に流体を選択的に加圧・供給することによって足裏を付勢するものが考えられる。
具体的には、エアーバックによって足裏を付勢するものが考えられる。
又、その際、袋体やエアーバックを複数個積層させた構成とし、それによって、付勢の幅を拡大することが考えられる。
又、袋体やエアーバックの表面につぼ刺激用の突起を設けることが考えられる。
又、膝下足部固定手段と足裏付勢手段は両足にそれぞれ対応するように設けることが考えられる。
又、枠体の足裏側の高さを調整可能に構成することが考えられる。この場合には枠体の足裏側の高さを高くすることによって足裏付勢手段による足裏付勢力を強くすることができる。
又、足裏付勢手段の立設角度を調整可能に構成することが考えられる。この場合には、足裏付勢手段を足裏側に倒していくことにより足裏付勢手段による足裏付勢力を強くすることができる。
又、膝下足部固定手段と足裏付勢手段を制御する制御手段と、上記制御手段に各種条件を入力する操作手段とを設けることが考えられる。
【０００７】
【発明の実施の形態】
以下、図１乃至図３を参照して本発明の第１の実施の形態を説明する。図１は本実施の形態による運動器具の全体の構成を示す斜視図であり、まず、枠体１がある。この枠体１は、左側側壁部３と右側側壁部５と仕切壁部７とを備えている。上記左側側壁部３と仕切壁部７との間には左側膝下足部受入凹部９が形成されており、同様に、右側側壁部５と仕切壁部７との間には右側膝下足部受入凹部１１が形成されている。又、左右の足の裏部に対向するように足裏支持壁部１３が設置されている。
【０００８】
上記左側膝下足部受入凹部９内には膝下足部固定手段１５が内装されている。この膝下足部固定手段１５は、一対の足首固定用エアーバック１７、１７と、一対の脹脛固定用エアーバック１９、１９とから構成されている。
尚、図１では片側の足首固定用エアーバック１７と脹脛固定用エアーバック１９のみが示されている。
同様に、右側膝下足部受入凹部１１内にも同様の膝下足部固定手段２１が内装されている。この膝下足部固定手段２１は、一対の足首固定用エアーバック２３、２３と、一対の脹脛固定用エアーバック２５、２５とから構成されている。
この場合にも、図１では片側の足首固定用エアーバック２３と脹脛固定用エアーバック２５のみが示されている。
又、上記足裏支持壁部１３の内側には足裏付勢手段としての足裏付勢用エアーバッグ２７、２９が内装されている。
【０００９】
又、上記枠体１の部分とは別にコントローラボックス３１が設置されていると共に、遠隔操作用のリモコン３３が設けられている。
【００１０】
次に、図３を参照して既に述べた各エアーバックを含んだエアー回路全体の構成を説明する。まず、上記コントローラボックス３１内には、制御基板３５、空気ポンプ３７、エアーチャンバ３９、３個の三方電磁弁４１、４３、４５が内装されている。又、上記三方電磁弁４３とエアーチャンバ３９との間には逆止弁４７が介挿されている。そして、既に説明したエアーバック１７、１７、２３、２３と三方電磁弁４３と逆止弁４７がエアー配管４９を介して接続されている。同様に、既に説明したエアーバック１９、１９、２５、２５と三方電磁弁４５がエアー配管５１を介して接続されている。同様に、既に説明したエアーバック２７、２９と三方電磁弁４１がエアー配管５３を介して接続されている。又、制御基板３５には差込コード５５が接続されている。
【００１１】
又、図１に示すように、上記枠体１の足裏壁部１３の内側中央には受信部５７が設けられていて、リモコン３３からの信号を受信するようになっている。
又、上記各エアーバックであるが、これは、例えば、ナイロンやポリウレタン樹脂製であって、その外周側にはポリエステル製の外カバーが設けられた構成になっている。
又、上記制御基板３５には図示しないタイマー回路が設置されていて、リモコン３３を操作することによりストレッチ時間を任意に設定できる構成になっている。
又、自動運転モードを選択することにより、例えば、１５分間運転して自動的に停止させるようにすることもできる。
【００１２】
以上の構成を基にその作用を説明する。
まず、使用者は仰向けに寝た状態で、自身の左足及び右足の膝下足部６１、６１を、左側膝下足部受入凹部９と右側膝下足部受入凹部１１内に入れると共に、それぞれの足裏６２、６２を足裏支持壁部１３の内側に押し付けるようにする。その状態でリモコン３３を操作して起動させる。
因みに、この実施の形態の場合にはリモコン３３によってオンさせることにより、全て自動運転されるようになっていて、１５分間で動作が停止するように設定されているものとする。
【００１３】
装置が起動すると、空気ポンプ３７が起動すると共に、まずは、三方電磁弁４３が足首固定用エアーバック１７、１７、２３、２３側に開弁して、足首固定用エアーバック１７、１７、２３、２３内にエアーを供給する。これによって、足首固定用エアーバック１７、１７、２３、２３が膨らみ、左右の足首６３、６３が固定される。
【００１４】
次に、三方電磁弁４５が脹ら脛固定用エアーバック１９、１９、２５、２５側に開弁して、足首固定用エアーバック１９、１９、２５、２５内にエアーを供給する。これによって、足首固定用エアーバック１９、１９、２５、２５が膨らみ、左右の脹脛６５、６５が固定される。
ここまでの動作によって左右の膝下足部６１、６１が固定されることになる。
【００１５】
次に、三方電磁弁４１が足裏付勢用エアーバック２７、２９側に開弁して、足裏付勢用エアーバック２７、２９内にエアーを供給する。これによって、足裏付勢用エアーバック２７、２９が膨らみ、左右の足裏６２、６２がアキレス腱の伸びる方向に付勢されることになる。図２はそのような状態を示している。
【００１６】
そして、予め設定された時間だけその状態が継続された後解除される。すなわち、まず、三方電磁弁４１が排気側に切り替わり、それによって、足裏付勢用エアーバック２７、２９内のエアーが排気され、足裏６２、６２に対する付勢が解除される。次に、三方電磁弁４５が排気側に切り替わり、それによって、脹脛固定用エアーバック１９、１９、２５、２５内のエアーが排気され、脹脛６５、６５に対する押圧が解除される。次に、三方電磁弁４３が排気側に切り替わり、それによって、足首固定用エアーバック１７、１７、２３、２３内のエアーが排気され、足首６３、６３に対する押圧が解除される。
【００１７】
次に、予め設定された所定の休憩時間が経過した後、再度、同様の動作が繰り返される。以上の動作を繰り返すことにより１５分間所定のストレッチとマッサージが繰り返されることになる。
尚、時間、回数等についてはリモコン３３を介して任意に設定することになる。又、全ての動作をリモコン３３を介しての手動操作により実行していくように設定することもできる。
【００１８】
以上本実施の形態によると次のような効果を奏することができる。
まず、使用者は椅子に座った状態であっても、或いは、仰向けに寝た状態であっても、足にアキレス腱を伸ばすようなストレッチを施すことができるようになった。
又、単に足にストレッチを施すだけでなく、足首６３、６３と脹脛６５、６５に対してマッサージを施すこともできるので、それらの組み合わせによって高いストレッチ効果を期待できる。
又、エアーバック方式であるので、足の太さや長さに個人差があってもこれを吸収して機能することができる。
又、この実施の形態の場合には、左右両足に同時にストレッチを施すような構成になっているので便利である。
又、膝下足部６１を固定するに際して、足首６３の部分と脹脛６５の部分に区画し、最初に足首６３の部分を固定するようにしており、特に、足首６３の上方より押圧するようにしているので、足裏６２が足裏支持壁部１３側に押圧されることになり、それによって、足裏６２を足裏支持壁部１３に押し付けることができる。これは、その後のストレッチ効果を高める上で大きな意味を持つものである。
【００１９】
次に、図４を参照して本発明の第２のの実施の形態を説明する。
まず、図４（ａ）に示す場合であるが、足裏支持壁部１３がヒンジ７１を介して枠体１に対して回動可能に取り付けられている。又、足裏支持壁部１３にはボルト７３が貫通・配置されていて、該ボルト７３の先端部は仕切壁部７内に配置されたナット７５に螺合している。又、上記足裏支持壁部１３の回動中心にはスプリング７７が取り付けられていて、足裏支持壁部１３を図中時計方向に付勢している。
【００２０】
上記構成において、ボルト７３を回転操作することによりナット７５側にねじ込んでいくと、足裏支持壁部１３がスプリング７７の付勢力に抗して図中反時計方向に回動していく。それによって、足裏６２に対する押圧力は強くなっていく。
尚、上記足裏支持壁部１３の回動角度（α°）としては、例えば、１０°程度の範囲で設定することが考えられる。
このような構成とすることにより、足裏６２に対する付勢力を調整することが可能になるものである。
【００２１】
又、同じく足裏６２に対する押圧力を強くする手段として、図４（ｂ）に示すような構成も考えられる。図４（ｂ）に示す場合には、図４（ａ）に示した構成に加えて、さらに、枠体１の足裏６２側の高さを調整可能にしたものである。すなわち、枠体１の底面部には脚部８１が４箇所にわたって取り付けられている。その内、足裏６２側の２個の脚部８１、８１はねじ構造によって伸縮自在に構成されている。すなわち、内側の雄ねじ部材８３に対して外側の雌ねじ部材８５が螺合しており、外側の雌ねじ部材８５を適宜回転させることにより伸縮させるものである。
【００２２】
そして、足裏６２に対する押圧力を強くする場合には、図示するように、雌ねじ部材８５を回転操作して伸長させ、枠体１を傾斜させるものである。それによって、足裏６２に対する押圧力は強くなるものである。
尚、枠体１の高さ（ｈ）の調整範囲としては、例えば、２０ｍｍの範囲で行うことが考えられる。
【００２３】
又、図４（ｂ）では、図４（ａ）に示した構成に加えて、さらに、枠体１の足裏６２側の高さを調整可能にしたが、枠体１の足裏６２側の高さ調整のみの構成も考えられる。
【００２４】
次に、図５及び図６を参照して本発明の第３の実施の形態を説明する。前記第１及び第２の実施の形態においては、足裏付勢用エアーバック２７、２９を夫々１個ずつ設けた場合を例に挙げて説明しているが、この第３の実施の形態の場合には、それを２個ずつ積層・配置させた構成としたものである。すなわち、図５に示すように、２個のエアーバック１０１ａ、１０１ｂが積層・配置された構成になっている。これらエアーバック１０１ａ、１０１ｂは夫々独立して膨張・収縮されるようになっており、そのために必要な配管やバルブが追加されている。その他の構成は前記第２の実施の形態の場合と同じであるので、同一部分には同一符号を付して示しその説明は省略する。
【００２５】
上記構成によると、図６（ａ）に示すように、足裏を付勢することができる範囲（β°）が拡大されることになる。因みに、図６（ｂ）は前記第２の実施の形態のような１個のエアーバック２９が設けられている場合である。この場合の範囲を（α°）とすると、上記β°はα°に比べて大幅に拡大されているものである。
尚、図では片側のエアーバックのみを示しているが反対側も同様である。
したがって、付勢する範囲が拡大されたことにより調整可能な範囲も拡大され、様々なケースに対応することができるようになり、又、単純により強いストレッチを施すことができるようになる。
【００２６】
次に、図７及び図８を参照して本発明の第４の実施の形態を説明する。前記第１〜第３の実施の形態の場合には、脹脛６５の裏面側には特にエアーバックを設けない構成であったが、この第４の実施の形態の場合には脹脛６５の下面側に新たにエアーバック２０１、２０３を配置したものである。このエアーバック２０１、２０３は、図７にも示すように、足裏側に向けてその容量が大きくなるように構成されていて、脹脛６５の形状に合った形状になっている。このようなエアーバック２０１、２０３を配置することにより、膝下足部６１の固定、特に、脹脛６５の固定がより確実なものとなる。つまり、脹脛６５等はその太さに個人差があり、よって、比較的細い人の場合は膝下足部の固定が不充分になってしまい、結局、運動効果も低下してしまうことになる。その点、上記エアーバック２０１、２０３によって締め付けることにより、そのような不具合をなくすことができるものである。
【００２７】
尚、上記エアーバック２０１、２０３を膨張させるタイミングとしては、まず、足首６３側のエアーバック１７、２３を膨張させ、次いで、エアーバック１９、２５を膨張させ、最後に、エアーバック２７、２９を膨張させるが、その際、エアーバック１９、２５を膨張させるときに同時にエアーバック２０１、２０３を膨張させることが考えられる。
【００２８】
次に、図９を参照して本発明の第５の実施の形態を説明する。前記第１〜第４の実施の形態の場合には、使用者が横になった状態で運動器具を使用するものとして説明しているが、図９に示すように、使用者が椅子３０１に座った状態で使用してもよい。
尚、図９に示す運動器具は前記第１の実施の形態で示したものである。
【００２９】
次に、図１０を参照して本発明の第６の実施の形態を説明する。これは、前記第１の実施の形態における足裏付勢用エアーバッグ２７、２９の表面につぼ刺激用の突起４０１を設けたものである。この実施の形態の場合には突起４０１は、例えば、１０〜３０ｍｍ程度の外径のものである。このような突起４０１を設けることにより足裏のつぼを刺激して血行を良くせんとするものである。
尚、このような突起は足裏付勢用エアーバック２７、２９だけでなく、他のエアーバックに設けることも考えられる。
【００３０】
尚、本発明は前記第１〜第６の実施の形態に限定されるものではない。
まず、エアーバック方式以外にも様々な固定方式、付勢方式が考えられ、例えば、機械的に固定したり付勢するような構成も考えられる。
又、固定場所としては、前記各実施の形態のように、足首と脹脛に限定されず、任意に設定すればよい。
又、枠体を傾斜可能な構造とし、足裏支持壁部側のレベルを調整可能にすることも考えられる。
【００３１】
【発明の効果】
以上詳述したように本発明による運動器具によると、まず、使用者は椅子に座った状態であっても、或いは、仰向けに寝た状態であっても、足にアキレス腱を伸ばすようなストレッチを施すことができるようになった。
又、単に足にストレッチを施すだけでなく、足首と脹脛に対してマッサージを施すこともできるので、それらの組み合わせによって高いストレッチ効果を期待できる。
又、袋体内に流体を選択的に加圧・供給することにより固定したり付勢したりする構成にした場合には、膝下足部や足の大きさや太さに関係なく機能させることができるものである。
又、袋体やエアーバックを複数個積層させた場合には、それによって、付勢可能な範囲を拡大することができると共に、より強いストレッチを施すことが可能になる。
又、つぼ刺激用の突起を設けた場合には、それによって、つぼを刺激して血行を良くすることができる。
又、枠体の足裏側の高さを調整可能に構成した場合には、枠体の足裏側の高さを高くすることによって足裏付勢手段による足裏付勢力を強くすることができる。
又、足裏付勢手段の立設角度を調整可能にした場合には、足裏付勢手段を足裏側に倒していくことにより足裏付勢手段による足裏付勢力を強くすることができる。
【図面の簡単な説明】
【図１】本発明の第１の実施の形態を示す図で、運動器具の全体の構成を示す斜視図である。
【図２】本発明の第１の実施の形態を示す図で、図１のＩＩ−ＩＩ断面図である。
【図３】本発明の第１の実施の形態を示す図で、運動器具に取りつけられている複数個のエアーバックを含んだエアー回路の構成を示す図である。
【図４】本発明の第２の実施の形態を示す図で、図４（ａ）は足裏支持壁部を回動可能に構成した例を示す側断面図、図４（ｂ）は足裏支持壁部を回動可能に構成すると共に枠体の足裏側の高さ調整を行うように構成した例を示す側断面図である。
【図５】本発明の第３の実施の形態を示す図で、運動器具の側断面図である。
【図６】本発明の第３の実施の形態を示す図で、図６（ａ）は２個のエアーバックを積層・配置させた場合の付勢範囲を示す側面図、図６（ｂ）は１個のエアーバックを配置させた場合の付勢範囲を示す側面図である。
【図７】本発明の第４の実施の形態を示す図で、運動器具の側断面図である。
【図８】本発明の第４の実施の形態を示す図で、図７のＶＩＩＩ−ＶＩＩＩ断面図である。
【図９】本発明の第５の実施の形態を示す図で、椅子に座った状態で運動器具を使用している様子を示す側面図である。
【図１０】本発明の第６の実施の形態を示す図で、図１０（ａ）は足裏付勢用エアーバックの平面図、図１０（ｂ）は足裏付勢用エアーバックの側面図である。
【符号の説明】
１　枠体
３　左側側壁
５　右側側壁
７　仕切壁
９　左側膝下足部受入凹部
１１　右側膝下足部受入凹部
１３　足裏付勢壁部
１７　足首固定用エアーバック
１９　脹脛固定用エアーバック
２３　足首固定用エアーバック
２５　脹脛固定用エアーバック
２７　足裏付勢用エアーバック
２９　足裏付勢用エアーバック
３１　コントローラボックス
３３　リモコン
【図１】
2004089672.tif 000003
【図２】
2004089672.tif 000004
【図３】
2004089672.tif 000005
【図４】
2004089672.tif 000006
【図５】
2004089672.tif 000007
【図６】
2004089672.tif 000008
【図７】
2004089672.tif 000009
【図８】
2004089672.tif 000010
【図９】
2004089672.tif 000011
【図１０】
2004089672.tif 000012